(57)【要約】【課題】この発明は、ハウジング内に組込まれる複数のコンタクトを平面方向および高さ方向においても千鳥状に分散して配置構成することにより、コンタクト間の適正な絶縁距離を確保でき、しかも製作を容易にして小型化を可能にしたフレキシブル基板用コネクタの提供を目的とする。【解決手段】この発明は、前面側にフレキシブル基板取付用の取付口を開口し、前記取付口の内方にフレキシブル基板の導電先端部と接触して接続固定する複数のコンタクトを左右方向に並列配設したハウジングを設け、前記左右方向に並列するコンタクトの配設位置を、前記ハウジングの前列側と後列側との２列に分け、かつ前後２列の各コンタクトを千鳥状に配設し、このうち前列側のコンタクトの外端部をハウジング前面側に突出させ、後列側のコンタクトの外端部をハウジング後面側に突出させたフレキシブル基板用コネクタであることを特徴とする。【選択図】　図４
2004111234.tif 000002
【特許請求の範囲】
【請求項１】
前面側にフレキシブル基板取付用の取付口を開口し、前記取付口の内方にフレキシブル基板の導電先端部と接触して接続固定する複数のコンタクトを左右方向に並列配設した絶縁性のハウジングを設け、
前記左右方向に並列するコンタクトの配設位置を、前記ハウジングの前列側と後列側との２列に分け、その前後２列の各コンタクトを平面方向に千鳥状に配設するとともに、高さ方向においても上部側と下部側との２列に分け、その上下２列の各コンタクトを上下方向においても千鳥状に配設し、このうち前列側のコンタクトの外端部をハウジング前面側に突出させ、後列側のコンタクトの外端部をハウジング後面側に突出させた
フレキシブル基板用コネクタ。
【請求項２】
前面側にフレキシブル基板取付用の取付口を開口し、前記取付口の内方にフレキシブル基板の導電先端部と接触して接続固定する複数のコンタクトを左右方向に並列配設した絶縁性のハウジングと、
前記取付口の内方に向けて進退許容し、前進時に前記導電先端部を上側または下側に対向するコンタクトに押付け、後退時に該押付け力を開放する絶縁性の押付け部材とを設け、
前記左右方向に並列するコンタクトの配設位置を、前記ハウジングの前列側と後列側とに平行する２列に分け、かつ前後２列の各コンタクトを平面方向に千鳥状に配設し、このうち前列側のコンタクトの外端部をハウジング前面側に突出させ、後列側のコンタクトの外端部をハウジング後面側に突出させた
フレキシブル基板用コネクタであって、
前記平面方向に千鳥状に配設されたコンタクトをハウジングの高さ方向においても上部側と下部側とに平行する２列に分け、かつ上下２列の各コンタクトを上下方向においても千鳥状に配設した
フレキシブル基板用コネクタ。
【請求項３】
前記コンタクトは、前記ハウジングの前後方向より圧入固定して取付けることを特徴とする
請求項１または２記載のフレキシブル基板用コネクタ。
【請求項４】
前記コンタクトは、前記ハウジングの前列側と後列側との２列に配設される一方を前記ハウジングの上方より圧入固定して取付けることを特徴とする
請求項１または２記載のフレキシブル基板用コネクタ。
【請求項５】
前記コンタクトは、前記ハウジングの前列側と後列側との２列に配設される一方を前記ハウジングの下方より圧入固定して取付けることを特徴とする
請求項１または２記載のフレキシブル基板用コネクタ。
【請求項６】
前記コンタクトは、前記フレキシブル基板の導電先端部と接続固定して導通する全ての接点部を、前記ハウジング内の空洞部上側に設定したことを特徴とする請求項１、２、３、４または５記載のフレキシブル基板用コネクタ。
【請求項７】
前記コンタクトは、前記フレキシブル基板の導電先端部と接続固定して導通する全ての接点部を、前記ハウジング内の空洞部上側に設定し、かつ該接点部の高さ位置を揃えたことを特徴とする
請求項１、２、３、４、５または６記載のフレキシブル基板用コネクタ。
【発明の詳細な説明】
【０００１】
【発明が属する技術分野】
この発明は、例えば機器の制御基板上に配線接続されるようなフレキシブル基板用コネクタに関し、さらに詳しくは接続構造を改善して小型化の実現を可能にしたフレキシブル基板用コネクタに関する。
【０００２】
【従来の技術】
一般に、この種のフレキシブル基板用コネクタは、図１９に示すように、ハウジング１９１の前面側にフレキシブル基板（ＦＰＣ）１９２の導電先端部を挿入して取付けるための取付口１９３を開口し、この取付口１９３の内方にフレキシブル基板の導電先端部と接触して接続固定する複数のコンタクト１９４を並列配設し、フレキシブル基板１９２の先端部を取付口１９３内方の空洞部に臨ませた状態で外部よりスライダ１９５を取付口１９３内に向けて押込む如くスライド操作することによってフレキシブル基板１９２の導電先端部はコンタクト１９４の接点部１９４ａに押付けられて一体に接続固定される。
【０００３】
また、ハウジング１９１に組込まれるコンタクト１９４の並列配設に際しては、ハウジング１９１の後部側に並列形成された各コンタクト圧入溝１９１ａに、各コンタクト１９４を圧入固定して取付けている。
【０００４】
さらに、図２０に示すように、ハウジング２０１の前後方向よりコンタクト２０２を圧入固定して取付ける場合は、１つのハウジング２０１に対し、その前後方向からコンタクト２０２を圧入して取付け、該コンタクト２０２の外端部２０２ａをハウジング２０１の前後両方向から基板２０３上へ取出すことができるため、基板２０３上への配線接続性に富む利点があり、ひいてはコネクタの小型化を促進できる。
【０００５】
ところが、フレキシブル基板用コネクタの小型化を促進した場合に、図２１および図２２に示すように、ハウジング２１１の左右方向に並列配設された各コンタクト２１２の並列方向の厚さをできるだけ薄型化し、またコンタクト２１２の並列ピッチを限界まで狭ピッチ化することになる。
【０００６】
このため、コンタクトを薄型化すると、コンタクト自身の弾力性が失われてフレキシブル基板との安定した接触力が確保できなくなる。また、コンタクトの狭ピッチ化を進めると、コンタクト間樹脂層２１３が薄肉化してハウジングの樹脂成形時に、金型部品が薄くなり過ぎて壊れやすく、またコンタクト間樹脂層２１３が薄肉のために樹脂充填不足が生じて成形不良を起こしやすい。
【０００７】
また、図２３に示すように、ハウジング２３１の前後方向よりコンタクト２３２，２３３を圧入固定し、これらのコンタクト２３２，２３３の接点部をともに下接点タイプにして、小型化を図ったものが知られている（例えば、特許文献１、特許文献２参照。）。図中、２３４はスライダ、２３５はフレキシブル基板である。
【０００８】
しかし、前後左右の各コンタクトの絶縁距離の確保と、コンタクトの薄肉化の回避およびコンタクト長手方向のバネ長さを確保してコンタクト自体に安定した接触対応性能を持たせるためにはコンタクト長さが長くなってしまい、小型化が困難になる。
【０００９】
また、図２４に示すように、ハウジング２４１の前後方向に対向する前コンタクト２４２と後コンタクト２４３とを配列し、前コンタクト２４２を下接点２４２ａに、後コンタクト２４３を上接点２４３ａに構成した上下接点タイプのものが知られている（例えば、特許文献３、特許文献４参照。）。
【００１０】
しかしながら、この場合は上下接点に対応させるためにフレキシブル基板端部の導体部を表裏両面に設ける必要があるためフレキシブル基板が高価になる。また、接点部が上下に分かれているため、スライダやレバーなどの押付け部材を用いてフレキシブル基板端部の導体部を上下の接点に押付けて接触させるＺＩＦタイプの接触構造を適用するには複雑な構造になる。さらに、ハウジングに並列配設されたコンタクトの前後左右の絶縁距離を確保する必要があるが、現状では小型化に限界が生じていた。
【００１１】
【特許文献１】
特開平９−９７６６５号公報。
【００１２】
【特許文献２】
特開平１１−５４２２０号公報。
【００１３】
【特許文献３】
特開平９−１７１８５８号公報。
【００１４】
【特許文献４】
特開平１１−３３９９０１号公報。
【００１５】
【発明が解決しようとする課題】
そこでこの発明は、ハウジング内に組込まれる複数のコンタクトを平面方向および高さ方向においても千鳥状に分散して配置構成することにより、コンタクト間の適正な絶縁距離を確保でき、しかも製作を容易にして小型化を可能にしたフレキシブル基板用コネクタの提供を目的とする。
【００１６】
【課題を解決するための手段】
この発明は、前面側にフレキシブル基板取付用の取付口を開口し、前記取付口の内方にフレキシブル基板の導電先端部と接触して接続固定する複数のコンタクトを左右方向に並列配設した絶縁性のハウジングを設け、前記左右方向に並列するコンタクトの配設位置を、前記ハウジングの前列側と後列側との２列に分け、その前後２列の各コンタクトを平面方向に千鳥状に配設するとともに、高さ方向においても上部側と下部側との２列に分け、その上下２列の各コンタクトを上下方向においても千鳥状に配設し、このうち前列側のコンタクトの外端部をハウジング前面側に突出させ、後列側のコンタクトの外端部をハウジング後面側に突出させたフレキシブル基板用コネクタであることを特徴とする。
【００１７】
ここでフレキシブル基板とは、可撓性を有する絶縁部材で複数本の配線を並列して一体に集約した帯状の電気配線である。
【００１８】
前記取付口とは、帯状のフレキシブル基板を挿入許容する横長の開口部をハウジングの前面に開口して構成することができる。
【００１９】
前記コンタクトとは、導電部材で構成され、内端部がハウジング内のフレキシブル基板接触対応位置に取付けられ、外端部がハウジング外の基板上に電気的に接続固定される。
【００２０】
前記ハウジングとは、内方に複数本のコンタクトを千鳥状に分散配置して組込み許容し、絶縁に適した合成樹脂材でモールド成形して構成することができる。
【００２１】
この発明によれば、ハウジングの左右方向に前後２列のコンタクトが平面方向だけでなく高さ方向においても千鳥状に分散して配設してあるため、コンタクトはハウジング内で立体的な千鳥状配置となって前後左右だけでなく上下方向においてもコンタクト間の距離を長くとることができる。
【００２２】
このため、フレキシブル基板用コネクタを小型化しても、コンタクト間の適正な絶縁距離を確保した間隔に配置できる。さらに、コンタクト間の樹脂層も薄肉部が回避されてハウジングの製作に適した厚さを確保できる。このため、金型部品も薄肉部がなくなり、破損し難い耐久性に富む金型が得られるほか、製作が容易になり、より一層ハウジングの小型化を促進できる。また、コンタクトの薄型化も回避できるため、コンタクト自身の弾力性が失われずに済み、安定した弾性接触力を有してフレキシブル基板との接圧を確保でき、フレキシブル基板との接触信頼性が向上する。
【００２３】
さらに、コンタクト間は前後左右だけでなく上下方向においても絶縁距離を長くとれるため、コンタクト間の樹脂充填不足も回避でき、それゆえ安定した成形品が得られる。また、前後２列のコンタクトは平面方向においても高さ方向においても千鳥状に配置されて、前後方向に対向しないため、ハウジングの前後方向に長く延びるコンタクト長手方向のバネ長さを長くとれる。このため、各コンタクトに安定した接触性能を持たせることができる。
【００２４】
別の発明によれば、前面側にフレキシブル基板取付用の取付口を開口し、前記取付口の内方にフレキシブル基板の導電先端部と接触して接続固定する複数のコンタクトを左右方向に並列配設した絶縁性のハウジングと、前記取付口の内方に向けて進退許容し、前進時に前記導電先端部を上側または下側に対向するコンタクトに押付け、後退時に該押付け力を開放する絶縁性の押付け部材とを設け、前記左右方向に並列するコンタクトの配設位置を、前記ハウジングの前列側と後列側とに平行する２列に分け、かつ前後２列の各コンタクトを平面方向に千鳥状に配設し、このうち前列側のコンタクトの外端部をハウジング前面側に突出させ、後列側のコンタクトの外端部をハウジング後面側に突出させたフレキシブル基板用コネクタであって、前記平面方向に千鳥状に配設されたコンタクトをハウジングの高さ方向においても上部側と下部側とに平行する２列に分け、かつ上下２列の各コンタクトを上下方向においても千鳥状に配設したことを特徴とする。
【００２５】
ここで押付け部材とは、ハウジングの取付口に挿入して取付けられるフレキシブル基板を一体に押付け固定して取付けるための挿入部材であり、ハウジングの前後方向にスライド動作するスライダ、あるいは回動動作するレバーで構成することができる。
【００２６】
この場合は、前後左右および上下のコンタクト間の距離を長くとってハウジング薄肉部の回避およびコンタクト間の適正な絶縁距離を確保できるため該フレキシブル基板用コネクタを小型化できる。このほかにも、押付け部材によってフレキシブル基板の導電先端部を、上側または下側に対向するコンタクトに押付ければ、容易に接触対応させることができ、上面または下面に接触対応する片面タイプの経済的なフレキシブル基板を適用できる。
【００２７】
この発明の他の実施の形態として、コンタクトをハウジングの前後方向より圧入固定して取付けるフレキシブル基板用コネクタを構成することができる。
【００２８】
この場合は、１つのハウジングの前側と後側にコンタクトを千鳥状に分けて取付けるためコンタクトの外端部は前後に分散されて取出される。このため、基板上への配線接続スペースが十分にとれ、フレキシブル基板用コネクタの小型化を促進できる。
【００２９】
この発明の他の実施の形態として、コンタクトをハウジングの前列側と後列側との２列に配設される一方を前記ハウジングの上方より圧入固定して取付けるフレキシブル基板用コネクタを構成することができる。
【００３０】
この場合は、コンタクトの一方をハウジングの上方より圧入することができるため、ハウジングへの取付けに適した圧入が可能になる。例えば、平板状のハウジングであれば、その圧入方向に適した面積の広い上面から圧入操作できる。さらに、コンタクトは前後方向に長く高さ方向に短い形状を有して短手方向に圧入するため、圧入距離が短縮されて安定した取付けとなる。
【００３１】
この発明の他の実施の形態として、コンタクトをハウジングの前列側と後列側との２列に配設される一方を前記ハウジングの下方より圧入固定して取付けるフレキシブル基板用コネクタを構成することができる。
【００３２】
この場合は、コンタクトをハウジングの下方より圧入することができできるため、ハウジングへの取付けに適した圧入が可能になる。例えば、平板状のハウジングであれば、その圧入方向に適した面積の広い下面から圧入操作できる。さらに、コンタクトは前後方向に長く高さ方向に短い形状を有して短手方向に圧入するため、圧入距離が短縮されて安定した取付けとなる。
【００３３】
この発明の他の実施の形態として、コンタクトを、フレキシブル基板の導電先端部と接続固定して導通する全ての接点部をハウジング内の空洞部上側に設定したフレキシブル基板用コネクタを構成することができる。
【００３４】
この場合は、コンタクトの接点部が上側に揃えられるため、押付け部材によってフレキシブル基板の導電先端部を上向きに押上げるだけで対向するコンタクトに容易に接触対応させることができ、上面に接触対応させる片面タイプの経済的なフレキシブル基板を適用できる。
【００３５】
この発明の他の実施の形態として、コンタクトを、フレキシブル基板の導電先端部と接続固定して導通する全ての接点部をハウジング内の空洞部上側に設定し、かつ該接点部の高さ位置を揃えたフレキシブル基板用コネクタを構成することができる。
【００３６】
この場合は、接点部の高さ位置が上側に揃っているため、押付け部材の押付け方向や押付け部材の形状が複雑にならず、押付け部材の形状が簡単化する。
【００３７】
【発明の実施の形態】
この発明の実施の形態を以下図面に基づいて詳述する。
［第１実施の形態］
図１および図２はフレキシブル基板用コネクタ１１を示し、このフレキシブル基板用コネクタ１１はハウジング１２と、前コンタクト１３と、後コンタクト１４と、スライダ１５とを備えて構成される。
【００３８】
ここに用いられるハウジング１２は、絶縁に適した樹脂材で平板状に形成され、該ハウジング１２の前面にフレキシブル基板１６を接続するための横長に開口した取付口１７を有し、この取付口１７と連通する内方にフレキシブル基板接続用の空洞部１８を有している。
【００３９】
さらに、この取付口１７および空洞部１８と連通するハウジング１２の前面側には、前コンタクト１３を個別に圧入固定するための前圧入溝１９を、該ハウジング１２の左右方向に一定間隔に並列して形成している。
【００４０】
また、ハウジング１２の後面側には、図３に示すように、後コンタクト１４を個別に圧入固定するための後圧入溝２０を、該ハウジング１２の左右方向に一定間隔に並列して形成している。
【００４１】
この場合、図４に示すように、左右方向に一定間隔に並列する前圧入溝１９と後圧入溝２０の配設位置をハウジング１２の前後に２列に分け、かつ前後方向に前後の圧入溝１９，２０が対向しないように前後２列の各圧入溝１９，２０をハウジング１２の平面方向に千鳥状に配設するとともに、高さ方向（ハウジング厚さ方向）においても上部側と下部側とのに列に分け、その上下方向においても前後の圧入溝１９，２０が対向しないように千鳥状に配設している。
【００４２】
これら前後の圧入溝１９，２０に、後述する前後のコンタクト１３，１４が圧入固定されてハウジング１２に一体に組付けられる。その後は、図５に示すように、スライダ１５をハウジング１２の取付口１７にスライド自由に取付けてフレキシブル基板１６の取付待機状態に設けられる。
【００４３】
この場合、ハウジング１２の左右方向に前後２列のコンタクト１３，１４が平面方向だけでなく高さ方向においても千鳥状に分散して配設してあるため、コンタクトはハウジング内で立体的な千鳥状配置となってハウジング１２上で前後左右だけでなく上下方向においても分散されたコンタクト間の距離を長くとることができる。このため、フレキシブル基板用コネクタ１１を小型化しても、絶縁距離を確保して隣設するコンタクトが干渉しないため支障を及ぼさなくなり、コンタクトの配設に適した間隔を確保できる。ことに、並列方向のコンタクト間の樹脂層１２ａ（図４参照）の薄肉部を解消できるため、樹脂充填不足を解消してハウジング１２の樹脂成形が容易となる。このため、ハウジングの成形に用いられる金型部品も薄肉部がなくなり、耐久性に富む金型が得られる。また、コンタクト間の樹脂層１２ａを一定厚さに確保して薄肉化を解消できるためコンタクト自体の薄型化も回避できることになり、コンタクト自身の弾力性が失われずに済み、コンタクト自体に安定した弾性接触力を有してフレキシブル基板１６との接圧を確保でき、フレキシブル基板１６との接触信頼性が向上する。
【００４４】
また、前後２列のコンタクトは平面方向においても高さ方向においても千鳥状に分散して配設されるため、前後方向に対向せず、ハウジングの前後方向に十分に長い弾力性を持たせたコンタクトを配設できる。したがって、該コンタクトの接点部においても長く片持ち支持できるためコンタクトの接点部はバネ長さを長くとれる。このため、接点部に安定した接触性能を持たせることができる。
【００４５】
上述の前コンタクト１３は長尺のＪの字形に設けられ、その長手方向に寝かした状態でハウジング１２の前面側から前圧入溝１９に圧入して取付けられ、図６に示すように、この前コンタクト１３のＪの字形の内端部に上接点部１３ａを形成し、この上接点部１３ａが空洞部１８内の上側に介在される。また、前コンタクト１３の外端部１３ｂはハウジング１２の前面側より手前に突出している。
【００４６】
上述の後コンタクト１４は長尺のコ型状に設けられ、そのコ型状を長手方向に寝かした状態でハウジング１２の後面側から後圧入溝２０に圧入して取付けられ、図７に示すように、この後コンタクト１４のコ型状の上側内端部に上接点部１４ａを形成し、この上接点部１４ａが空洞部１８内の上側に介在される。また、後コンタクト１４の外端部１４ｂはハウジング１２の後面側に突出している。
【００４７】
これらのコンタクトの外端部１３ｂ，１４ｂはハウジング１２の外方に突出しており、ハウジング１２が制御基板上に搭載されたとき、その基板上の回路に電気的に接続される。さらに、コンタクト１３，１４をハウジング１２の前後方向より圧入固定して取付けるため、全コンタクトの外端部１３ｂ，１４ｂはハウジング１２の前後に千鳥状に分散されて取出される。このため、基板上への配線に際しては接続スペースが十分にとれる。
【００４８】
次に、スライダ１５は絶縁性の樹脂材により形成され、ハウジング１２の前面に開口された取付口１７の内方に向けてスライド許容し、先端部両側に抜止め係止部１５ａおよびスライドガイド面１５ｂ（図１参照）を有し、中央部上面に各コンタクト１３，１４の上接点部１３ａ，１４ａに均一に押圧接触させる段差押圧面１５ｃ（図７参照）を有している。また後端部両側には押込みストッパ部１５ｄを有している。
【００４９】
このように構成されたフレキシブル基板用コネクタ１１を用いてフレキシブル基板１６を接続固定する場合、図８および図９に示すように、フレキシブル基板１６の導電先端部をハウジング１２の取付口１７より内方の空洞部１８に挿入し、この挿入操作と同時にスライダ１５を前方にスライドさせると、前進時にスライダ上面の段差押圧面１５ｃが導電先端部を上側に押上げ、その上側に対向する各コンタクト１３，１４の上接点部１３ａ，１４ａに接触対応して電気的に接続され、またスライダ１５の機械的な押圧力によって安定した接触圧を保持することができる。
【００５０】
この場合、コンタクトの上接点部１３ａ，１４ａが上面側に揃っているため空洞部１８内の上側に接触させる片面タイプの経済的なフレキシブル基板を適用できる。
【００５１】
また、スライダ１５をハウジング１２の手前側に引抜く如く後退させれば、スライダ１５による上向きの押付け力が開放されて、フレキシブル基板１６の導電先端部が自由状態となって取外すことができる。
【００５２】
［第２実施の形態］
図１０および図１１に示すように、この第２実施の形態のフレキシブル基板用コネクタ１０１は、第１実施の形態のフレキシブル基板用コネクタ１１と比べて、後コンタクト１０４の圧入方向がハウジング１０２の上方から下方に向けて圧入するタイプであるのと、前後のコンタクト１０３，１０４の上接点部１０３ａ，１０４ａの高さ位置を同高さに揃えている点が異なり、ハウジング１０２やスライダ１０５の形状は異なっても同機能を有し、同一の作用効果が得られるため異なる点についてのみ説明する。
【００５３】
上述のハウジング１０２の上面圧入溝１０６は、ハウジング１０２の上面後方側に左右方向に並列して設け、ここに上方から長尺のＬの字形に設けられた後コンタクト１０４を寝かした状態で圧入して取付ける。
【００５４】
この場合、図１２および図１３に示すように、後コンタクト１０４のＬの字形の内端部に上接点部１０４ａを有し、この上接点部１０４ａがハウジング１０２内方の空洞部１０８に上方から臨み、空洞部１０８の上側に介在される。また、後コンタクト１０４の外端部１０４ｂはハウジング１０２の後面側に突出している。図中、１０４ｃは抜止め片である。
【００５５】
これら前後のコンタクトの外端部１０３ｂ，１０４ｂは、ハウジング１０２の前後面より外方に突出しており、ハウジング１０２が制御基板上に搭載されたとき、その基板上の回路に電気的に接続される。さらに、コンタクト１０３，１０４をハウジング１０２の前方と上方とから圧入固定してハウジング１０２の前後の位置に取付けたとき、前後２列の左右方向に並列するコンタクト１０３，１０４はハウジング１０２の平面方向においても高さ方向においてもそれぞれ千鳥状に分散配設されている。
【００５６】
この場合もハウジングに取付けられるコンタクトが平面方向と高さ方向とのそれぞれに千鳥状配置となる立体的な千鳥状配置に取付けられて、第１実施の形態と同様な効果が得られる。このほかにも、後コンタクト１０４をハウジング１０２の上方より圧入することができるため、平板状のハウジング１０２の面積の広い上面から圧入操作でき、ハウジングへの取付けに適した圧入が可能になる。
【００５７】
具体的には、ハウジングにコンタクトを圧入するとき、そのコンタクトを圧入する部分の押圧面積を大きくとれる。また、そのときに使用する圧入治具の形状が簡単になるという利点が得られる。さらに、長尺の後コンタクト１０４をハウジング１０２の短手方向（高さ方向）に圧入するため、圧入距離を短縮して安定した取付けができる。
【００５８】
また、前後のコンタクト１０３，１０４の上接点部１０３ａ，１０４ａを上側に揃えることができるため、スライダ１０５によってフレキシブル基板１０７の導電先端部を上向きに押上げるだけで対向するコンタクトの上接点部１０３ａ，１０４ａに容易に接触させることができ、上面に接触させる片面タイプの経済的なフレキシブル基板を適用できる。
【００５９】
さらに、前後のコンタクト１０３，１０４の上接点部１０３ａ，１０４ａの高さ位置を上側に揃えて配置形成することができるため、スライダ１０５の押付け方向やスライダ１０５の形状が複雑にならず、製作に適した平面状の簡単な押上げ面１０５ａを共用でき、スライダ１０５の形状が簡単化する。
【００６０】
この場合のスライダ１０５は、前後面が開放した箱形状を有し、その下面をハウジング１０２の前面開口部より差込むようにスライドさせて取付けるものであり、箱形状ゆえに扱い易く、フレキシブル基板１０７の接続作業をするときは、該スライダ１０５の両端面を指先で摘んでスライド操作できるため操作性のよい接続が行える。さらに、スライダ１０５の上面は広い平面がとれるため、この上面をコネクタ実装用の自動機の吸着面に適用し易くなり、基板上への搭載に貢献できる。
【００６１】
［第３実施の形態］
図１４および図１５に示すように、この第３実施の形態のフレキシブル基板用コネクタ１４１は、第１実施の形態のフレキシブル基板用コネクタ１１と比べて、前コンタクト１４３の圧入方向がハウジング１４２の下方から上方に向けて圧入するタイプである点が異なり、ハウジング１４２やスライダ１４５の形状は異なっても同機能を有し、同一の作用効果が得られるため異なる点についてのみ説明する。
【００６２】
上述のハウジング１４２の下面圧入溝１４６は、ハウジング１４２の下面前方側に左右方向に並列して設け、ここに下方から長尺のＪの字形に設けられた前コンタクト１４３を寝かした状態で圧入して取付ける。
【００６３】
この場合、図１６および図１７に示すように、前コンタクト１４３のＪの字形の内端部に上接点部１４３ａを有し、この上接点部１４３ａがハウジング１４２内方の空洞部１４８の上側に介在される。また、前コンタクト１４３の外端部１４３ｂはハウジング１４２の前面側に突出している。図中、１４３ｃは抜止め片である。
【００６４】
また、前後のコンタクトの外端部１４３ｂ，１４４ｂは、ハウジング１４２の前後面より外方に突出しており、ハウジング１４２が制御基板上に搭載されたとき、その基板上の回路に電気的に接続される。さらに、前後のコンタクト１４３，１４４をハウジング１４２の下方と後方とから圧入固定してハウジング１４２の前後の位置に取付けたとき、前後２列の左右方向に並列するコンタクト１４３，１４４はハウジング１４２の平面方向においても高さ方向においてもそれぞれ千鳥状に分散配設されている。
【００６５】
この場合もハウジングに取付けられるコンタクトが平面方向と高さ方向とのそれぞれに千鳥状配置となる立体的な千鳥状配置に取付けられて、第１実施の形態と同様な効果が得られる。このほかにも、前コンタクト１４３をハウジング１４２の下方より圧入することができるため、平板状のハウジング１４２の面積の広い下面から圧入操作でき、ハウジングへの取付けに適した圧入が可能になる。
【００６６】
この場合も、ハウジングにコンタクトを圧入するとき、そのコンタクトを圧入する部分の押圧面積を大きくとれる。また、そのときに使用する圧入治具の形状が簡単になるという利点が得られる。さらに、長尺の後コンタクト１４４をハウジング１４２の短手方向に圧入するため、圧入距離を短縮して安定した取付けができる。さらに、長尺の前コンタクト１４３をハウジング１４２の短手方向に圧入するため、圧入距離を短縮して安定した取付けができる。
【００６７】
また、前後のコンタクト１４３，１４４の上接点部１４３ａ，１４４ａをそれぞれ上側に揃えることができるため、スライダ１４５によってフレキシブル基板１４７の導電先端部を上向きに押上げるだけでコンタクトの上接点部１４３ａ，１４４ａに容易に接触させることができ、上面に接触させる片面タイプの経済的なフレキシブル基板を適用できる。
【００６８】
上述の前コンタクト１４３の上接点部１４３ａについては、フレキシブル基板１４７をハウジング１４２に挿入した時点で、その導電先端部を上下面間で挟持する挟持接触構成を持たせており、これによりフレキシブル基板１４７の取付け操作性を高めている。
【００６９】
また、ここに用いられるスライダ１４５の一例として回動タイプのものを採用した場合を示し、このスライダ１４５の下部に形成した軸支部１４５ａをハウジング１４２に軸支して取付け、この軸支部１４５ａを回動支点に設け、フレキシブル基板１４７が挿入されたときに、該スライダ１４５を回動してフレキシブル基板１４７と各コンタクトの上接点部１４３ａ，１４４ａとを強固に接触させる構成を有している。
【００７０】
上述のように、ハウジングの左右方向に前後２列のコンタクトが平面方向だけでなく高さ方向においても千鳥状に分散して配設してあるため、コンタクトはハウジング内で立体的な千鳥状配置となって前後左右だけでなく上下方向においてもコンタクト間の距離を長くとることができる。
【００７１】
この結果、フレキシブル基板用コネクタを小型化しても、コンタクト間の適正な絶縁距離を確保した間隔に配置できる。さらに、コンタクト間の樹脂層も薄肉部が回避されてハウジングの製作に適した厚さを確保できる。このため、金型部品も薄肉部がなくなり、破損し難い耐久性に富む金型が得られるほか、製作が容易になり、より一層ハウジングの小型化を促進できる。また、コンタクトの薄型化も回避できるため、コンタクト自身の弾力性が失われずに済み、安定した弾性接触力を有してフレキシブル基板との接圧を確保でき、フレキシブル基板との接触信頼性が向上する。
【００７２】
さらに、コンタクト間は前後左右だけでなく上下方向においても絶縁距離を長くとれるため、コンタクト間の樹脂充填不足も回避でき、それゆえ安定した成形品が得られる。また、前後２列のコンタクトは平面方向においても高さ方向においても千鳥状に配置されて、前後方向に対向しないため、ハウジングの前後方向に長く延びるコンタクト長手方向のバネ長さを長くとれる。このため、各コンタクトに安定した接触性能を持たせることができる。
【００７３】
この発明の構成と、上述の実施の形態の構成との対応において、
この発明の押付け部材は、実施の形態のスライダに対応するも、この発明は請求項に示される技術思想に基づいて応用することができ、上述の実施の形態の構成のみに限定されるものではない。
【００７４】
例えば、上述の実施の形態ではコンタクトの接点部を上側に揃えて設定したが、これに限らず接点部を下側に揃えて構成することもでき、この場合は接点部の向きが異なるだけで同様な作用効果が得られる。
【００７５】
【発明の効果】
この発明によれば、コンタクト間の距離を長くとって分散配置することができるため、フレキシブル基板用コネクタを小型化しても、コンタクト間の適正な絶縁距離を確保した間隔に配置できる。さらに、コンタクト間の樹脂層も薄肉部が回避されてハウジングの製作に適した厚さを確保できる。このため、金型部品も薄肉部がなくなり、破損し難い耐久性に富む金型が得られるほか、製作が容易になり、小型化を促進できる。また、コンタクトの薄型化も回避できるため、コンタクト自身の弾力性が失われずに済み、安定した弾性接触力を有してフレキシブル基板との接圧を確保でき、フレキシブル基板との接触信頼性が向上する。
【図面の簡単な説明】
【図１】第１実施の形態のフレキシブル基板用コネクタの分解斜視図。
【図２】第１実施の形態のフレキシブル基板用コネクタの使用時の外観斜視図。
【図３】第１実施の形態のフレキシブル基板用コネクタの側面図。
【図４】図３のＡ−Ａ断面図。
【図５】第１実施の形態のフレキシブル基板用コネクタの未使用時の外観斜視図。
【図６】図５のＡ−Ａ断面図。
【図７】図５のＢ−Ｂ断面図。
【図８】第１実施の形態の前コンタクトの取付け状態を示す縦断側面図。
【図９】第１実施の形態の後コンタクトの取付け状態を示す縦断側面図。
【図１０】第２実施の形態のフレキシブル基板用コネクタの分解斜視図。
【図１１】第２実施の形態のフレキシブル基板用コネクタの使用時の外観斜視図。
【図１２】第２実施の形態の前コンタクトの取付け状態を示す縦断側面図。
【図１３】第２実施の形態の後コンタクトの取付け状態を示す縦断側面図。
【図１４】第３実施の形態のフレキシブル基板用コネクタの分解斜視図。
【図１５】第３実施の形態のフレキシブル基板用コネクタの使用時の外観斜視図。
【図１６】第３実施の形態の前コンタクトの取付け状態を示す縦断側面図。
【図１７】第３実施の形態の後コンタクトの取付け状態を示す縦断側面図。
【図１８】第３実施の形態のフレキシブル基板用コネクタの未使用時の外観斜視図。
【図１９】従来のコンタクトの取付け状態を示す縦断側面図。
【図２０】従来の前コンタクトの取付け状態を示す縦断側面図。
【図２１】図２０のＡ−Ａ断面図。
【図２２】図２０のＢ−Ｂ断面図。
【図２３】従来の前後対向形コンタクトの取付け状態を示す縦断側面図。
【図２４】従来の他の前後対向形コンタクトの取付け状態を示す縦断側面図。
【符号の説明】
１１，１０１，１４１…フレキシブル基板用コネクタ
１２，１０２，１４２…ハウジング
１３，１４，１０３，１０４，１４３，１４４…コンタクト
１５，１０５，１４５…スライダ
１６，１０７，１４７…フレキシブル基板
【図１】
2004111234.tif 000003
【図２】
2004111234.tif 000004
【図３】
2004111234.tif 000005
【図４】
2004111234.tif 000006
【図５】
2004111234.tif 000007
【図６】
2004111234.tif 000008
【図７】
2004111234.tif 000009
【図８】
2004111234.tif 000010
【図９】
2004111234.tif 000011
【図１０】
2004111234.tif 000012
【図１１】
2004111234.tif 000013
【図１２】
2004111234.tif 000014
【図１３】
2004111234.tif 000015
【図１４】
2004111234.tif 000016
【図１５】
2004111234.tif 000017
【図１６】
2004111234.tif 000018
【図１７】
2004111234.tif 000019
【図１８】
2004111234.tif 000020
【図１９】
2004111234.tif 000021
【図２０】
2004111234.tif 000022
【図２１】
2004111234.tif 000023
【図２２】
2004111234.tif 000024
【図２３】
2004111234.tif 000025
【図２４】
2004111234.tif 000026